【手続補正書】
【提出日】平成28年8月22日(2016.8.22)
【手続補正１】
【補正対象書類名】明細書
【補正対象項目名】０００８
【補正方法】変更
【補正の内容】
【０００８】
本発明の第一の態様は、
排気通路に触媒装置を備えた内燃機関を制御するように構成された内燃機関の制御装置であって、
前記触媒装置の暖機要求があった場合に、少なくとも１つの気筒においてリーン燃焼を行わせ且つ少なくとも１つの他の気筒においてリッチ燃焼を行わせるＡ／Ｆ振動手段と、
前記暖機要求があった場合に、排気弁の閉弁時期を吸気上死点よりも前まで進角する早閉じ手段と、
前記暖機要求があった場合に、点火時期を遅角する点火遅角手段と、
を備え、
前記制御装置は、燃焼が不安定である場合には、燃焼が安定である場合に比べて、前記点火遅角手段によって提供されるリーン燃焼が行われる気筒の点火時期の遅角量を小さくすると共に前記Ａ／Ｆ振動手段によって提供される空燃比の振幅を大きくするように、更に構成されており、かつ、
前記制御装置は、前記Ａ／Ｆ振動運転の終了後には、前記Ａ／Ｆ振動手段によってリーン燃焼が行われていた気筒の点火時期を、当該リーン燃焼で用いられていた点火時期から、現在の空燃比が大きいほど大きく、進角側に補正するように更に構成されていることを特徴とする。
【手続補正２】
【補正対象書類名】明細書
【補正対象項目名】０００９
【補正方法】変更
【補正の内容】
【０００９】
この態様によれば、燃焼が不安定である場合には、燃焼が安定である場合に比べて、点火遅角手段によって提供されるリーン燃焼が行われる気筒の点火時期の遅角量を小さくすると共にＡ／Ｆ振動手段によって提供される空燃比の振幅を大きくする。したがって、点火時期の遅角量の減少により燃焼の安定性を促進してドライバビリティの悪化を抑制し、かつ、点火進角に伴う触媒の暖機性の低下を、空燃比の振幅の拡大によって補償することができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
上述した早閉じ手段による早閉じ運転とＡ／Ｆ振動手段によるＡ／Ｆ振動運転とを同時に実行すると、燃焼室内における既燃ガスの量（いわゆる内部ＥＧＲ量）が大きいことから、Ａ／Ｆ振動運転においてリーン燃焼が割り当てられていた気筒におけるＡ／Ｆ振動運転終了直後の燃焼性が悪くなる。これにつき、本発明の当該態様によれば、Ａ／Ｆ振動運転の終了後には、Ａ／Ｆ振動運転においてリーン燃焼が行われていた気筒の点火時期を、当該リーン燃焼で用いられていた点火時期から、現在の空燃比が大きいほど大きく、進角側に補正する。したがって、リーン燃焼が割り当てられていた気筒における燃焼の悪化を抑制することができる。
【手続補正５】
【補正対象書類名】明細書
【補正対象項目名】００３９
【補正方法】変更
【補正の内容】
【００３９】
次に、ステップＳ３０では、ＥＣＵ５０は、目標バルブタイミングを算出する。上述のとおり、ＥＣＵ５０は、排気弁１４の目標閉弁時期を設定する。例えば、ＥＣＵ５０は、吸入空気量およびエンジン回転数Ｎｅからエンジン８の要求負荷を算出し、この要求負荷に基づいて、排気弁１４の目標閉弁時期を設定する。図４に示すように、目標閉弁時期は、早閉じ運転が行われない通常運転時には、破線Ａのように吸気上死点ＴＤＣよりも遅角側に設定され、早閉じ運転が行われるときには、実線Ｂのように、吸気上死点ＴＤＣよりも進角側に設定される。目標閉弁時期の進角量は、吸気弁１３が開いたときの既燃ガスの吸気ポートへの吹き返しを促進するように、吸気通路３と排気通路１８との圧力差が小さいほど、大きくしてもよい。
【手続補正６】
【補正対象書類名】明細書
【補正対象項目名】００４５
【補正方法】変更
【補正の内容】
【００４５】
ステップＳ８０では、ＥＣＵ５０は、点火プラグ１２の目標点火時期を、所定の単位角度、進角側に補正する。結果として、点火遅角運転における点火時期の遅角量は、より小さい値に変更される。次に、ステップＳ９０では、ＥＣＵ５０は、Ａ／Ｆ振幅を拡大する。このＡ／Ｆ振幅の拡大は、上述した図５に示されるマップまたは関数に従って行うことができる。ステップＳ８０及びＳ９０の処理の結果、点火時期の進角による触媒の暖機性の低下を補償するように、点火時期が早いほど、Ａ／Ｆ振幅が大きくされる。
【手続補正７】
【補正対象書類名】明細書
【補正対象項目名】００４８
【補正方法】変更
【補正の内容】
【００４８】
以上のとおり、第１実施形態では、ＥＣＵ５０は、触媒暖機要求があった場合に、点火遅角運転およびＡ／Ｆ振動運転（Ｓ４０）と、排気弁１４の早閉じ運転（Ｓ６０）とを実行すると共に、燃焼が不安定である場合には、燃焼が安定である場合に比べて、点火遅角運転におけるリーン気筒の点火遅角量を小さくする（Ｓ８０）と共に、Ａ／Ｆ振幅を拡大（Ｓ９０）する。したがって本実施形態では、点火時期の進角により燃焼の安定性を促進してドライバビリティの悪化を抑制しながら、点火進角に伴う触媒の暖機性の低下を、Ａ／Ｆ振幅の拡大によって補償することができる。
【手続補正８】
【補正対象書類名】明細書
【補正対象項目名】００５１
【補正方法】変更
【補正の内容】
【００５１】
この問題点に対処するため、第２実施形態では、Ａ／Ｆ振動運転の終了後には、Ａ／Ｆ振動運転においてリーン燃焼が行われていた気筒の点火時期を、当該Ａ／Ｆ振動運転で用いられていた点火時期から、現在の空燃比が大きいほど大きく、進角側に補正する。第２実施形態の機械的構成は上記第１実施形態におけるものと同様であるため、同一符号を付してその詳細の説明を省略する。
【手続補正９】
【補正対象書類名】明細書
【補正対象項目名】００５２
【補正方法】変更
【補正の内容】
【００５２】
第２実施形態では、図８に示されるような点火時期補正量マップが予め作成され、ＥＣＵ５０のＲＯＭに格納されている。このマップは、リーン気筒内の空燃比Ａ／Ｆと、当該リーン気筒内の内部ＥＧＲ率（すなわち、当該気筒内のガスにおける既燃ガスの体積割合）と、点火時期補正量aleanとが、互いに関連付けて格納されている。図８では点火時期補正量aleanは進角量、すなわち進角側を正とするクランク角で表されており、その値が大きいほど点火時期は進角される。このマップでは、リーン気筒内の空燃比Ａ／Ｆが大きい（リーンである）ほど、また当該気筒内の内部ＥＧＲ率が大きいほど、点火時期補正量aleanが大になる（進角される）ように設定されている。空燃比Ａ／Ｆは目標空燃比を用いるが、検出または推定した空燃比を用いても良い。
【手続補正１０】
【補正対象書類名】明細書
【補正対象項目名】００６８
【補正方法】変更
【補正の内容】
【００６８】
以上のとおり、第２実施形態では、ＥＣＵ５０は、Ａ／Ｆ振動運転の終了後には（Ｓ２３０，Ｓ２４０）、Ａ／Ｆ振動運転においてリーン燃焼が行われていたリーン気筒の点火時期を、当該リーン燃焼で用いられていた点火時期から、現在の空燃比が大きいほど大きく、進角側に補正する（Ｓ２８０，図８）。これによって、リーン気筒におけるＡ／Ｆ振動運転終了直後の燃焼性の悪化を、抑制することができる。したがって、エミッションの悪化及びドライバビリティの悪化を抑制することができる。
【手続補正１１】
【補正対象書類名】特許請求の範囲
【補正対象項目名】全文
【補正方法】変更
【補正の内容】
【特許請求の範囲】
【請求項１】
排気通路に触媒装置を備えた内燃機関を制御するように構成された内燃機関の制御装置であって、
前記触媒装置の暖機要求があった場合に、少なくとも１つの気筒においてリーン燃焼を行わせ且つ少なくとも１つの他の気筒においてリッチ燃焼を行わせるＡ／Ｆ振動手段と、
前記暖機要求があった場合に、排気弁の閉弁時期を吸気上死点よりも前まで進角する早閉じ手段と、
前記暖機要求があった場合に、点火時期を遅角する点火遅角手段と、
を備え、
前記制御装置は、燃焼が不安定である場合には、燃焼が安定である場合に比べて、前記点火遅角手段によって提供されるリーン燃焼が行われる気筒の点火時期の遅角量を小さくすると共に前記Ａ／Ｆ振動手段によって提供される空燃比の振幅を大きくするように、更に構成されており、かつ、
前記制御装置は、前記Ａ／Ｆ振動運転の終了後には、前記Ａ／Ｆ振動手段によってリーン燃焼が行われていた気筒の点火時期を、当該リーン燃焼で用いられていた点火時期から、現在の空燃比が大きいほど大きく、進角側に補正するように更に構成されていることを特徴とする内燃機関の制御装置。
【手続補正１２】
【補正対象書類名】図面
【補正対象項目名】図８
【補正方法】変更
【補正の内容】
【図８】
2015227631.tif 000001